(57)【要約】【課題】同一ネットワークで異なる物理チャンネルを受信可能な地域において、受信信号品質を計測する対象チャンネルを減少することでスキャンの高速化を可能とするデジタル放送受信装置を提供する。【解決手段】地上デジタル放送のチャンネルスキャンにおいて、受信可能なチャンネルを取得する手段３０１と、選局操作情報が重複するチャンネルを判断する手段３０２と、その重複するチャンネルの受信信号品質を計測する手段３０３と、受信信号品質を比較し良い方のチャンネルを記憶する手段３０４とを備え、選局操作情報が重複するチャンネルのみ受信信号品質を計測、取得、比較し、受信信号品質の良い方のチャンネルを記憶する。【選択図】図３
2007214864.tif 000002
【特許請求の範囲】
【請求項１】
地上デジタル放送のチャンネルスキャンを行いチャンネルリストに記憶するデジタル放送受信装置において、地上デジタル放送の全周波数をスキャンし受信可能なチャンネルを取得する手段と、選局操作情報が重複するチャンネルを判断する手段と、選局操作情報が重複するチャンネルが存在する場合のみそのチャンネルの受信信号品質を計測する手段と、受信信号品質を比較し良い方のチャンネルを記憶する手段とを備えたことを特徴とするデジタル放送受信装置。
【請求項２】
地上デジタル放送のチャンネルスキャンを行いチャンネルリストに記憶するデジタル放送受信方法において、地上デジタル放送の全周波数をスキャンし受信可能なチャンネルを取得するステップと、選局操作情報が重複するチャンネルを判断するステップと、選局操作情報が重複するチャンネルが存在する場合のみそのチャンネルの受信信号品質を計測するステップと、受信信号品質を比較し良い方のチャンネルを記憶するステップとを備えたことを特徴とするデジタル放送受信方法。
【請求項３】
コンピュータに地上デジタル放送のチャンネルスキャンを行いチャンネルリストに記憶するデジタル放送受信ステップと、地上デジタル放送の全周波数をスキャンし受信可能なチャンネルを取得するステップと、選局操作情報が重複するチャンネルを判断するステップと、選局操作情報が重複するチャンネルが存在する場合のみそのチャンネルの受信信号品質を計測するステップと、受信信号品質を比較し良い方のチャンネルを記憶するステップとを実行させるためのプログラムを記録したコンピュータ読み取り可能な記録媒体。
【請求項４】
コンピュータを地上デジタル放送のチャンネルスキャンを行いチャンネルリストに記憶するデジタル放送受信手段、地上デジタル放送の全周波数をスキャンし受信可能なチャンネルを取得する手段、選局操作情報が重複するチャンネルを判断する手段、選局操作情報が重複するチャンネルが存在する場合のみそのチャンネルの受信信号品質を計測する手段、受信信号品質を比較し良い方のチャンネルを記憶する手段として機能させるためのプログラム。
【発明の詳細な説明】
【技術分野】
【０００１】
本発明は、デジタル放送に用いる受信装置（国際特許分類  Ｈ０４Ｎ１７／００）に関するものである。
【背景技術】
【０００２】
地上デジタル放送では、それぞれのネットワークは他ネットワークの情報を流さないため地上デジタル放送の全周波数をスキャンして受信可能なチャンネルのネットワーク情報を取得する必要がある。  また、Ｍｕｌｔｉ  Ｆｒｅｑｕｅｎｃｙ  Ｎｅｔｗｏｒｋ（以下、ＭＦＮ）により同一ネットワークで異なる物理チャンネルを受信可能な地域では受信Ｃ／ＮまたはＢＥＲの良好なチャンネルを「受信可能周波数テーブル」に記憶することが求められ、特開２００４−２０８１８６号公報で公知の通り、スキャン時に受信可能であると判断した際に受信信号品質を記憶し、選局操作情報が重複する放送情報を持つチャンネルが受信された場合に、これら重複する放送の受信信号品質を比較し、受信信号品質が良い方のチャンネルを記憶することで実現を図っている。
【特許文献１】特開２００４−２０８１８６号公報
【非特許文献１】ＡＲＩＢ−ＴＲ−Ｂ１４  第二編Ｖｅｒ１．５  地上デジタルテレビジョン放送受信機機能仕様書
【発明の開示】
【発明が解決しようとする課題】
【０００３】
しかしながら、受信信号品質を取得するには信号品質が安定する迄の待ち時間が必要であり、従来の技術では選局操作情報が重複するチャンネルが存在しなくてもスキャン時に受信可能であると判断する毎に受信信号品質を計測し記憶するため、必ず受信信号品質の安定待ち時間が発生し、スキャンが終了するまでの時間がかかるといった課題があった。
【課題を解決するための手段】
【０００４】
上記課題を解決するために、本発明（請求項１）に係るデジタル放送受信装置は、地上デジタル放送のチャンネルスキャンを行いチャンネルリストに記憶するデジタル放送受信装置において、地上デジタル放送の全周波数をスキャンし受信可能なチャンネルを取得する手段と、選局操作情報が重複するチャンネルを判断する手段と、選局操作情報が重複するチャンネルが存在する場合のみそのチャンネルの受信信号品質を計測する手段と、受信信号品質を比較し良い方のチャンネルを記憶する手段とを備えたものである。
【０００５】
また、本発明（請求項２）では、地上デジタル放送のチャンネルスキャンを行いチャンネルリストに記憶するデジタル放送受信方法において、地上デジタル放送の全周波数をスキャンし受信可能なチャンネルを取得するステップと、選局操作情報が重複するチャンネルを判断するステップと、選局操作情報が重複するチャンネルが存在する場合のみそのチャンネルの受信信号品質を計測するステップと、受信信号品質を比較し良い方のチャンネルを記憶するステップとを備えたものである。
【０００６】
また、本発明（請求項３）に係る記録媒体は、上記のデジタル放送受信方法（請求項２）を実施するコンピュータプログラムを記録するものであり、本発明（請求項４）はそのコンピュータプログラムそのものに関するものである。
【発明の効果】
【０００７】
本発明の請求項１に係るデジタル放送受信装置によれば、地上デジタル放送のチャンネルスキャン時、選局操作情報が重複する放送情報を持つチャンネルのみの受信信号品質を計測するため、選局操作情報が重複するチャンネルが存在しない場合には計測時間待ちがなくなり、選局操作情報が重複するチャンネルが存在する場合でも重複するチャンネルのみ受信信号品質を計測するため受信信号品質の計測時間待ちの対象チャンネルが減少するため、スキャンの高速化を図れる効果がある。
【発明を実施するための最良の形態】
【０００８】
本発明は、地上デジタル放送のチャンネルスキャンを行いチャンネルリストに記憶するデジタル放送受信装置であって、地上デジタル放送の全周波数をスキャンし受信可能なチャンネルを取得する手段と、選局操作情報が重複するチャンネルを判断する手段と、選局操作情報が重複するチャンネルが存在する場合のみそのチャンネルの受信信号品質を計測する手段と、信信号品質を比較し良い方のチャンネルを記憶する手段とを備えたことを特徴とするデジタル放送受信装置であり、選局操作情報が重複しないチャンネルの場合には受信信号品質を計測しないことで地上デジタル放送のチャンネルスキャンを高速化できる作用を有する。
【実施例１】
【０００９】
図１は本発明の一実施の形態におけるデジタル放送受信装置のハードウェアのブロック図である。以下、図１を用いて上記デジタル放送受信装置の構成について説明する。ユーザが選局した信号を受信するＴｕｎｅｒ１０１、信号レベルの有無を検出するＩＦ信号検知１０２、変調されているその信号を復調する復調器１０３、復調された信号から映像・音声・付加情報に分離するためのＴＳ  Ｄｅｃｏｄｅｒ１０４、分離された映像信号・音声信号をデコードするＡＶ  Ｄｅｖｏｃｅｒ１０５、プログラムや番組情報などを格納する記憶装置であるＦｌａｓｈＲＯＭ１０６、プログラムの内部情報などを格納する記憶装置であるＲＡＭ１０７、ユーザ固有の情報やデジタル放送受信装置のシステム設定情報などを格納する記憶装置であるＥＥＰＲＯＭ１０９、外部機器へのリモコン信号の送信を行う赤外線リモコン信号送信装置１１０、リモコン信号の受信を行う赤外線リモコン受信装置１１１、ＬＡＮを利用した双方向サービスを行うためのＥｔｈｅｒ制御装置１１２、ＩＥＥＥ１３９４規格に準拠し外部機器との制御やデータの送受信を行うＩＥＥＥ１３９４制御装置１１３、これらの装置をシステムバス１００を通じて制御するＣＰＵ１０８から構成される。
【００１０】
以上の構成からなるデジタル放送受信装置における本発明の実施例１について図２の処理フローを用いて以下に説明する。
【００１１】
図２のステップ２１で図１のＴｕｎｅｒ１０１へ最初にスキャンするチャンネルの選局データを設定し
図２のステップ２２へ遷移する。次に図２のステップ２２で、図１のＴＳ  Ｄｅｃｏｄｅｒ１０４の同期信号（ＴＳ同期）のあり、なしを検出し、ＴＳ同期がなければ、次のチャンネルをスキャンするために図２のステップ２５へ遷移し、ＴＳ同期があれば、図２のステップ２３で受信可能なチャンネルとしてこのチャンネルをチャンネルリストに追加し、そのチャンネルリストを図１のＥＥＰＲＯＭに記憶し、次のチャンネルをスキャンするために図２のステップ２５へ遷移する。次に図２のステップ２５で、スキャンしたチャンネルがラスとのチャンネルであれば、図２のステップ２６へ遷移し、スキャンしたチャンネルがラスとのチャンネルでなければ、図２のステップ２４で、図１のＴｕｎｅｒ１０１へ次のスキャンするチャンネルの選局データを設定し、図２のステップ２２に遷移する。次に図のステップ２６で、スキャン時に構築したチャンネルリストから選局操作情報が重複するチャンネルの有無をチェックし、選局操作情報が重複するチャンネルがあれば図２のステップ２７へ遷移し、選局操作情報が重複するチャンネルがなければチャンネルスキャンの処理は終了となる。次に図２のステップ２７で図１のＴｕｎｅｒ１０１へ選局操作情報が重複するチャンネルの選局データを設定し図２のステップ２８へ遷移する。次に図２のステップ２８で、図１のＴＳ  Ｄｅｃｏｄｅｒ１０４の同期信号（ＴＳ同期）のあり、なしを検出し、ＴＳ同期があれば、図２のステップ２９へ遷移し、ＴＳ同期がなければ、ＴＳ同期がありになるまで図２のステップ２８への遷移を繰り返す。次に図２のステップ２９で、受信信号が安定するための一定時間の時間待ちを行い、図２のステップ２９０で、受信信号品質を取得し、図１のＲＡＭ１０７に格納し、図２のステップ２９１で、選局操作情報が重複するチャンネルの受信信号品質を比較し、図２のステップ２９２で、受信信号品質が悪いチャンネルをチャンネルリストから削除し、そのチャンネルリストを図１のＥＥＰＲＯＭに記憶し、図２のステップ２９３へ遷移する。次に図２のステップ２９３で、選局操作情報の重複するチャンネルがあれば、図２のステップ２９４で、次の選局操作情報が重複するチャンネルの選局データを設定し図２のステップ２８へ遷移し、選局操作情報が重複するチャンネルがなければチャンネルスキャンの処理は終了となる。
【００１２】
次に図３に、受信可能なチャンネルを取得する手段（ステップ３０１）、選局操作情報が重複するチャンネルを判断する手段（ステップ３０２）、重複するチャンネルの受信信号品質を計測する手段（ステップ３０３）、受信信号品質を比較し良い方のチャンネルを記憶する手段（ステップ３０４）として手段ごとのステップを示す。
【００１３】
実施例１でチャンネルリストが「ＥＥＰＲＯＭ」に記憶する構成としたが「ＦｌａｓｈＲＯＭ」でもよい。
【００１４】
実施例１は受信機の形態として固定受信機に限定されるものではなく、移動受信機、部分受信機においても同様である。
【００１５】
なお、本発明は上記した実施の形態に限定されるものではない。
【００１６】
以上、本発明を実施するための最良の形態における機能は、所定のプログラムによって実現され、これをＦＤ等の記録媒体に記録して移送することにより、独立した他のコンピュータ・システムで容易に実施することができ、また製品においては、内蔵するメモリーに該プログラムが書き込まれ、受信装置のハードキーあるいはリモコンによりユーザが操作を行うことができる。
【産業上の利用可能性】
【００１７】
本発明の地上デジタル放送のチャンネルスキャンの高速化方法は、同一ネットワークで異なる物理チャンネルを受信可能な地域の場合には、選局操作情報が重複するチャンネルのみの受信信号品質を計測することで受信信号品質の計測時間待ちの対象チャンネルが減少するため、スキャンの高速化が図れる効果を有しており、デジタル放送に用いる受信装置等として有用である。
【図面の簡単な説明】
【００１８】
【図１】本発明の実施の形態におけるデジタル放送受信装置のハードウェアのブロック図
【図２】本発明の実施形態１におけるデジタル放送受信装置の処理を示すフローチャート
【図３】本発明の実施形態１におけるデジタル放送受信装置の処理を示すフローチャート
【符号の説明】
【００１９】
１００    システムバス
１０１    Ｔｕｎｅｒ
１０２    ＩＦ信号検知
１０３    復調器
１０４    ＴＳＤｅｃｏｄｅｒ
１０５    ＡＶＤｅｃｏｄｅｒ
１０６    ＦｌａｓｈＲＯＭ
１０７    ＲＡＭ
１０８    ＣＰＵ
１０９    ＥＥＰＲＯＭ
１１０    赤外線リモコン送信装置
１１１    赤外線リモコン受信装置
１１２    Ｅｔｈｅｒ制御装置
１１３    ＩＥＥＥ１３９４制御装置
【図１】
2007214864.tif 000003
【図２】
2007214864.tif 000004
【図３】
2007214864.tif 000005